(57)【要約】【課題】負荷回路に接続されたコネクタに異常が生じたことによる負荷回路の動作異常を検知可能な電子機器を提供する。【解決手段】異常検出部５０は、端子Ｔ４の電圧が予め定められた上限値および下限値の間にあるかどうかを検出する。異常検出部５０は、端子Ｔ４の電圧がその上限値および下限値の間にある場合には、電圧レベルがＨ（論理ハイ）レベルである信号ＤＥＴを出力する。一方、異常検出部５０は、端子Ｔ４の電圧が下限値を下回る場合、あるいは端子Ｔ４の電圧が上限値を上回る場合には電圧レベルがＬ（論理ロー）レベルである信号ＤＥＴを出力する。端子Ｔ３，Ｔ４が短絡することにより抵抗４５に過電流が流れた場合には抵抗４５が損傷する可能性がある。端子Ｔ４の電圧が上限値を上回る（端子Ｔ４の電圧が電源電圧にほぼ等しくなる）ので、異常検出部５０は信号ＤＥＴの電圧レベルをＬレベルに設定する。【選択図】図１
2008304393.tif 000002
【特許請求の範囲】
【請求項１】
第１および第２の端子を含み、かつ、前記第１および第２の端子の間に所定範囲内の電圧が印加された場合に動作するファンと、
所定の電源電圧が与えられ、かつ前記第１の端子に接続されるための第３の端子と、前記第２の端子に接続されるための第４の端子とを含み、前記第１および第２の端子に着脱可能なコネクタと、
前記第４の端子と接地ノードとの間に設けられ、かつ前記第１および第２の端子が前記第３および第４の端子にそれぞれ接続された場合に前記電源電圧および前記第４の端子の電圧である端子電圧の差が前記所定範囲内となるように前記端子電圧を定めるための抵抗と、
前記端子電圧を監視して、前記電源電圧および前記所定範囲に基づき定まる前記端子電圧の上限値および下限値の間に前記端子電圧がある場合には、出力信号の電圧レベルを第１のレベルに設定し、前記端子電圧が前記下限値を下回った場合、および、前記端子電圧が前記上限値を上回った場合のいずれかの場合には、前記電圧レベルを第２のレベルに設定する電圧検出回路と、
前記電圧レベルが前記第１のレベルである場合に前記ファンの動作が正常であると判定し、前記電圧レベルが前記第２のレベルである場合に前記ファンの動作が異常であると判定する判定回路とを備え、
前記電圧検出回路は、
前記端子電圧の値と前記下限値とを比較して、前記端子電圧の値が前記下限値を上回る場合に、前記電圧レベルが前記第１のレベルである前記出力信号を出力し、前記端子電圧の値が前記下限値を下回る場合に、前記電圧レベルが前記第２のレベルである前記出力信号を出力する第１の比較回路と、
前記端子電圧の値と前記上限値とを比較して、前記端子電圧の値が前記上限値を下回る場合に、前記電圧レベルが前記第１のレベルである前記出力信号を出力し、前記端子電圧の値が前記上限値を上回る場合に、前記電圧レベルが前記第２のレベルである前記出力信号を出力する第２の比較回路とを含む、電子機器。
【請求項２】
第１および第２の端子を含み、かつ、前記第１および第２の端子の間に所定範囲内の電圧が印加された場合に動作する負荷回路と、
所定の電源電圧が与えられ、かつ前記第１の端子に接続されるための第３の端子と、前記第２の端子に接続されるための第４の端子とを含み、前記第１および第２の端子に着脱可能なコネクタと、
前記第４の端子と接地ノードとの間に設けられ、かつ前記第１および第２の端子が前記第３および第４の端子にそれぞれ接続された場合に前記電源電圧および前記第４の端子の電圧である端子電圧の差が前記所定範囲内となるように前記端子電圧を定めるための抵抗と、
前記端子電圧を監視して、前記電源電圧および前記所定範囲に基づき定まる前記端子電圧の上限値および下限値の間に前記端子電圧がある場合には、出力信号の電圧レベルを第１のレベルに設定し、前記端子電圧が前記下限値を下回った場合、および、前記端子電圧が前記上限値を上回った場合のいずれかの場合には、前記電圧レベルを第２のレベルに設定する電圧検出回路と、
前記電圧レベルが前記第１のレベルである場合に前記負荷回路の動作が正常であると判定し、前記電圧レベルが前記第２のレベルである場合に前記負荷回路の動作が異常であると判定する判定回路とを備える、電子機器。
【請求項３】
前記電圧検出回路は、
前記端子電圧の値と前記下限値とを比較して、前記端子電圧の値が前記下限値を上回る場合に、前記電圧レベルが前記第１のレベルである前記出力信号を出力し、前記端子電圧の値が前記下限値を下回る場合に、前記電圧レベルが前記第２のレベルである前記出力信号を出力する第１の比較回路と、
前記端子電圧の値と前記上限値とを比較して、前記端子電圧の値が前記上限値を下回る場合に、前記電圧レベルが前記第１のレベルである前記出力信号を出力し、前記端子電圧の値が前記上限値を上回る場合に、前記電圧レベルが前記第２のレベルである前記出力信号を出力する第２の比較回路とを含む、請求項２に記載の電子機器。
【請求項４】
前記負荷回路は、前記電子機器の内部を冷却するためのファンである、請求項３に記載の電子機器。
【請求項５】
前記電子機器は、プロジェクタである、請求項４に記載の電子機器。
【発明の詳細な説明】
【技術分野】
【０００１】
本発明は、電子機器に関し、特にコネクタにより電源に接続された負荷回路を備える電子機器において、そのコネクタの異常を検出する技術に関する。
【背景技術】
【０００２】
複数の端子を有するコネクタを搭載した電子機器においては、たとえば端子間の短絡、あるいはコネクタとそのコネクタに接続される装置との接続不良等が生じないことが求められる。しかし何らかの理由によりこれらの異常が生じる可能性も考えられる。このため、コネクタの異常が生じた場合にその異常を検出するという技術が従来から提案されている。
【０００３】
たとえば特開２０００−６７３６号公報（特許文献１）に記載の異常警告装置は、エアバッグＥＣＵとランプ点灯回路とを接続する信号線ハーネスおよびコネクタにおいて、断線あるいはＧＮＤショートが生じた場合に警告灯を点灯させる。
【０００４】
特開２０００−３０４７９９号公報（特許文献２）に記載の配線診断装置は、診断対象の配線に電圧を印加し、その配線の電圧と所定値に保たれた基準電圧とを比較して比較結果を出力する。さらにこの配線診断装置は、診断対象の配線に印加された電圧と、その所定値と異なる基準電圧とを比較して比較結果を出力する。２つの比較結果の各々から診断対象の配線の状態を判定することができるので、診断対象の配線における短絡の有無、あるいは抵抗値の異常の有無を診断することが可能になる。
【０００５】
実開平６−３０７８１号公報（特許文献３）に記載の故障検知回路は、コントロールユニットとパワーユニットとの間の結線が接地に短絡した場合、あるいはその結線の断線（が生じた場合に、故障信号出力トランジスタＱ３をオフする。これによりトランジスタＱ３はＨ（ハイ）レベルの故障検知信号を出力する。
【特許文献１】特開２０００−６７３６号公報
【特許文献２】特開２０００−３０４７９９号公報
【特許文献３】実開平６−３０７８１号公報
【発明の開示】
【発明が解決しようとする課題】
【０００６】
特許文献１〜３に開示される技術は、コネクタの端子が電気的に開放された状態あるいは、結線が接地へ短絡したことによる異常を検出するためのものである。たとえば、コネクタが負荷回路の正極端子および負極端子に接続されているものとする。そのコネクタにおいて負荷回路の正極端子に接続される第１の端子には、所定の電源電圧が与えられ、負荷回路の負極端子に接続される第２の端子と接地ノードとの間には素子（たとえば抵抗）が接続されているものとする。第１の端子と第２の端子とが絶縁されていれば、負荷回路の内部に適切な大きさの動作電流が流れるため負荷回路が動作する。
【０００７】
しかしながら、たとえば製造時の不良（はんだの付着等）により第１の端子と第２の端子とが短絡した場合には、その抵抗に過剰な電流が流れることにより抵抗が損傷することが起こり得る。この場合、第２の端子は電気的に開放された状態となる。したがってコネクタに負荷回路が接続されても、その負荷回路は動作しなくなる。上記特許文献１〜３のいずれにも、このような異常を検出できることは示されていない。
【０００８】
それゆえに、本発明の目的は、負荷回路に接続されたコネクタに異常が生じたことによる負荷回路の動作異常を検出可能な電子機器を提供することである。
【課題を解決するための手段】
【０００９】
本発明は要約すれば電子機器であって、ファンと、コネクタと、抵抗と、電圧検出回路と、判定回路とを備える。ファンは、第１および第２の端子を含み、かつ、第１および第２の端子の間に所定範囲内の電圧が印加された場合に動作する。コネクタは、所定の電源電圧が与えられ、かつ第１の端子に接続されるための第３の端子と、第２の端子に接続されるための第４の端子とを含み、第１および第２の端子に着脱可能である。抵抗は、第４の端子と接地ノードとの間に設けられ、かつ第１および第２の端子が第３および第４の端子にそれぞれ接続された場合に電源電圧および第４の端子の電圧である端子電圧の差が所定範囲内となるように端子電圧を定める。電圧検出回路は、端子電圧を監視して、電源電圧および所定範囲に基づき定まる端子電圧の上限値および下限値の間に端子電圧がある場合には、出力信号の電圧レベルを第１のレベルに設定し、端子電圧が下限値を下回った場合、および、端子電圧が上限値を上回った場合のいずれかの場合には、電圧レベルを第２のレベルに設定する。判定回路は、電圧レベルが第１のレベルである場合にファンの動作が正常であると判定し、電圧レベルが第２のレベルである場合にファンの動作が異常であると判定する。電圧検出回路は、第１の比較回路と、第２の比較回路とを含む。第１の比較回路は、端子電圧の値と下限値とを比較して、端子電圧の値が下限値を上回る場合に、電圧レベルが第１のレベルである出力信号を出力し、端子電圧の値が下限値を下回る場合に、電圧レベルが第２のレベルである出力信号を出力する。第２の比較回路は、端子電圧の値と上限値とを比較して、端子電圧の値が上限値を下回る場合に、電圧レベルが第１のレベルである出力信号を出力し、端子電圧の値が上限値を上回る場合に、電圧レベルが第２のレベルである出力信号を出力する。
【００１０】
本発明の他の局面に従うと、電子機器であって、負荷回路と、コネクタと、抵抗と、電圧検出回路と、判定回路とを備える。負荷回路は、第１および第２の端子を含み、かつ、第１および第２の端子の間に所定範囲内の電圧が印加された場合に動作する。コネクタは、所定の電源電圧が与えられ、かつ第１の端子に接続されるための第３の端子と、第２の端子に接続されるための第４の端子とを含み、第１および第２の端子に着脱可能である。抵抗は、第４の端子と接地ノードとの間に設けられ、かつ第１および第２の端子が第３および第４の端子にそれぞれ接続された場合に電源電圧および第４の端子の電圧である端子電圧の差が所定範囲内となるように端子電圧を定める。電圧検出回路は、端子電圧を監視して、電源電圧および所定範囲に基づき定まる端子電圧の上限値および下限値の間に端子電圧がある場合には、出力信号の電圧レベルを第１のレベルに設定し、端子電圧が下限値を下回った場合、および、端子電圧が上限値を上回った場合のいずれかの場合には、電圧レベルを第２のレベルに設定する。判定回路は、電圧レベルが第１のレベルである場合に負荷回路の動作が正常であると判定し、電圧レベルが第２のレベルである場合に負荷回路の動作が異常であると判定する。
【００１１】
好ましくは、電圧検出回路は、第１の比較回路と、第２の比較回路とを含む。第１の比較回路は、端子電圧の値と下限値とを比較して、端子電圧の値が下限値を上回る場合に、電圧レベルが第１のレベルである出力信号を出力し、端子電圧の値が下限値を下回る場合に、電圧レベルが第２のレベルである出力信号を出力する。第２の比較回路は、端子電圧の値と上限値とを比較して、端子電圧の値が上限値を下回る場合に、電圧レベルが第１のレベルである出力信号を出力し、端子電圧の値が上限値を上回る場合に、電圧レベルが第２のレベルである出力信号を出力する。
【００１２】
より好ましくは、負荷回路は、電子機器の内部を冷却するためのファンである。
さらに好ましくは、電子機器は、プロジェクタである。
【発明の効果】
【００１３】
本発明によれば、負荷回路に接続されたコネクタに異常が生じたことによる負荷回路の動作異常を検出することができる。
【発明を実施するための最良の形態】
【００１４】
以下、本発明に係る実施の形態について図面を参照して説明する。以下の説明では本実施形態に係る電子機器の具体例としてプロジェクタを示す。
【００１５】
また、以下に示す電圧値等の数値は本実施の形態を説明するためのものであって本実施の形態を限定するものではない。
【００１６】
図１は、本実施形態に係る電子機器の一例であるプロジェクタの構成を表わす図である。図１を参照して、プロジェクタ１００は、メインボード１０と、光源２０と、投光ユニット３０と、ファン４０と、コネクタ４４と、抵抗４５と、電源回路４６と、異常検出部５０と、表示部６０と、操作部７０とを備える。
【００１７】
メインボード１０は、Ａ／Ｄ変換部１１と、画像処理部１２と、ＣＰＵ１３（Central Processing Unit)と、メモリ１４とを含む。
【００１８】
操作部７０は、ユーザによるプロジェクタ１００の操作（たとえばプロジェクタへの電源投入、プロジェクタへの電源供給の停止等）が行なわれると、その操作内容を示す情報をＣＰＵ１３に出力する。ＣＰＵ１３はその情報に応じた処理を行なう。
【００１９】
Ａ／Ｄ変換部１１は、外部から入力されるアナログの映像信号（たとえばビデオ信号またはパーソナルコンピュータからの信号等）をデジタル化する。画像処理部１２は、Ａ／Ｄ変換部１１から出力されるデジタル化されたデータからスクリーンの大きさに合わせた画像（すなわちビデオまたはパーソナルコンピュータの画像）を生成する。
【００２０】
メモリ１４は、たとえばＣＰＵ１３の処理に必要なデータを一時的に記憶するＲＡＭ（Random Access Memory）であってもよいし、ＣＰＵ１３に処理を実行させるためのプログラムを不揮発的に記憶するＲＯＭ（Read Only Memory）であってもよい。
【００２１】
光源２０から出力された光は、投光ユニット３０に送られる。投光ユニット３０は、画像処理部１２から出力される画像に従って光源２０から出力される光を空間的に変調し、前方に配置されたスクリーンに投射する。投光ユニット３０は、具体的には、ＤＭＤ３１（Digital Mirror Device）および投射レンズ３２を含む。ＤＭＤ３１は、個別に制御される複数のマイクロミラーを備える。
【００２２】
各マイクロミラーは１画素に相当する。マイクロミラーは、オンのときには光源２０からの光を外部に反射し、オフのときには光源２０からの光を外部に反射しない。
【００２３】
ファン４０はプロジェクタ１００の内部を空冷する。多くの場合、プロジェクタ１００の内部温度が上昇する主原因は光源が発する熱によるものである。よってファン４０は光源２０、および投光ユニット３０、ならびにそれらの周辺部に空気を送ることによりこれらを冷却する。なおファン４０が動作することによりプロジェクタ１００の内部には吸気口（図示せず）から空気が導入される。また、排気口（図示せず）からプロジェクタ１００の外部に空気が排出される。
【００２４】
ファン４０は、フィン４１と、モータ４２と、コネクタ４３とを含む。コネクタ４３は端子Ｔ１，Ｔ２を有する。モータ４２は具体的にはＤＣモータであり、所定範囲の直流電圧がモータ４２（言い換えると端子Ｔ１，Ｔ２間）に印加された場合に動作する。モータ４２が動作するとその回転軸に取り付けられたフィン４１が回転する。これにより空気の流れが生じる。
【００２５】
端子Ｔ１，Ｔ２は、コネクタ４４に含まれる端子Ｔ３，Ｔ４に接続される。なおコネクタ４４は端子Ｔ１，Ｔ２に着脱可能である。
【００２６】
電源回路４６は所定の電源電圧（ＤＣ１２Ｖ）を出力する。端子Ｔ３は、電源回路４６に接続されることによって、その電源電圧が与えられる。
【００２７】
抵抗４５は、端子Ｔ４と接地ノードとの間に接続される。抵抗４５の抵抗値は、モータ４２から抵抗４５に流れる電流に基づいて設定される。より具体的には、抵抗４５の抵抗値は、端子Ｔ１，Ｔ２が端子Ｔ３，Ｔ４にそれぞれ接続された場合において端子Ｔ１，Ｔ２の間の電圧がモータ４２の動作電圧範囲（すなわち上述の所定範囲の直流電圧）となるように設定される。
【００２８】
異常検出部５０は、端子Ｔ４の電圧を監視する。異常検出部５０は、端子Ｔ４の電圧が、予め定められた上限値および下限値の間にあるかどうかを検出する。この上限値および下限値は、電源電圧（ＤＣ１２Ｖ）および、モータ４２の動作電圧範囲に基づき定められる。以下では端子Ｔ４の電圧の上限値および下限値をそれぞれ０．３Ｖおよび０．０３Ｖとするが、上限値および下限値はこれらの値に限られるものではない。
【００２９】
異常検出部５０は、端子Ｔ４の電圧がその上限値および下限値の間にある場合には、電圧レベルがＨ（論理ハイ）レベルである信号ＤＥＴを出力する。一方、異常検出部５０は、端子Ｔ４の電圧が下限値（０．０３Ｖ）を下回る場合、あるいは端子Ｔ４の電圧が上限値（０．３Ｖ）を上回る場合には電圧レベルがＬ（論理ロー）レベルである信号ＤＥＴを出力する。ここでＨレベルおよびＬレベルとは信号ＤＥＴの電圧値が所定のしきい値よりも高い状態および低い状態をそれぞれ意味するものとする。
【００３０】
ファン４０が正常に動作している場合には、端子Ｔ３，Ｔ４間（すなわち端子Ｔ１，Ｔ２間）の電圧がモータ４２の動作電圧範囲内になるため、端子Ｔ４の電圧も上限値および下限値の間になる。よって信号ＤＥＴの電圧レベルはＨレベルとなる。よってＣＰＵ１３は信号ＤＥＴの電圧レベルがＨレベルであればファン４０が正常に動作していると判定する。
【００３１】
一方、（１）端子Ｔ１，Ｔ２の少なくとも一方がコネクタ４３から外れた場合、（２）端子Ｔ４がグランドと短絡した場合の両方の場合には、端子Ｔ４の電圧が下限値（０．０３Ｖ）を下回る。この場合には信号ＤＥＴの電圧レベルはＬレベルとなる。
【００３２】
さらに、（３）端子Ｔ３，Ｔ４が短絡した場合、抵抗４５に流れる電流により抵抗４５が損傷する可能性がある。抵抗４５が損傷することにより端子Ｔ４と接地ノードとの間がオープンとなる。この場合にも端子Ｔ４の電圧が上限値（０．３Ｖ）を上回る（端子Ｔ４の電圧が電源電圧にほぼ等しくなる）。よって異常検出部５０は信号ＤＥＴの電圧レベルをＬレベルに設定する。
【００３３】
ＣＰＵ１３は、信号ＤＥＴを受ける。ＣＰＵ１３は信号ＤＥＴの電圧レベルがＬレベルである場合にはファン４０の動作が異常であると判定する。ＣＰＵ１３はファン４０の動作が異常であると判定した場合に、異常が生じたことを表示させるための信号を表示部６０に送る。
【００３４】
表示部６０は、点灯回路６１およびＬＥＤ６２（発光ダイオード）を含む。点灯回路６１はＣＰＵ１３からの信号に応じてＬＥＤ６２を点灯させる。点灯回路６１は、この信号を受けていない場合にはＬＥＤ６２を点灯させない。
【００３５】
このように本実施の形態によれば抵抗４５の損傷を検出することができる。さらに、本実施の形態によれば、上述の（１）〜（３）に示したコネクタ４４の異常（すなわちファン４０の動作の異常）を短時間で検出することができる。
【００３６】
たとえば投光ユニット３０の周辺の雰囲気温度を検出するための温度センサを設け、かつ、ＣＰＵ１３がその温度センサの検出結果に基づいてコネクタ４４の異常を検出するという方法も考えられる。しかし、この方法によればＣＰＵ１３はコネクタ４４の異常を間接的にしか検出できないので、コネクタ４４の異常をすぐに検出できない。
【００３７】
より詳細に説明すると、ファン４０が停止した場合には光源２０および投光ユニット３０の周辺の空気の温度が上昇するがその上昇速度は比較的緩やかである。よって、ＣＰＵ１３が温度センサの検出結果に基づきコネクタ４４の異常を検出する場合には、ＣＰＵ１３はコネクタ４４の異常をすぐに検出できない。
【００３８】
これに対し、本実施の形態ではＣＰＵ１３は端子Ｔ４の電圧に基づいてコネクタ４４の異常を検出する。すなわちＣＰＵ１３はコネクタ４４の異常を直接的に検出する。これによりコネクタ４４の異常検出に要する時間を短くすることができる。
【００３９】
さらに、モータ４２の異常によりモータ４２に電流が流れなくなった場合にも端子Ｔ４の電圧が下限値（０．０３Ｖ）を下回る。この場合にも、信号ＤＥＴの電圧レベルはＬレベルとなる。
【００４０】
すなわち、本実施の形態によれば、コネクタ４４の異常を検出することにより生じるファン４０の動作の異常を検出することができる。
【００４１】
また、本実施の形態によれば、コネクタ４４が正常であっても、モータ４２に異常が生じた場合に、その異常を検出することができる。よって、本実施の形態によればファン４０自体に異常が生じた場合にもその異常を検出できる。
【００４２】
図２は、異常検出部５０の構成を示す回路図である。図２を参照して、異常検出部５０は比較回路５１，５２と、抵抗Ｒ１〜Ｒ６と、キャパシタＣ１，Ｃ２とを含む。
【００４３】
電源回路４６は、コネクタ４４の端子Ｔ３にＤＣ１２Ｖの直流電圧を印加する。コネクタ４３の端子Ｔ１，Ｔ２が端子Ｔ３，Ｔ４に接続されると、電源回路４６と接地ノードとの間にはモータ４２および抵抗４５が直列に接続される。これによりモータ４２に電流が流れるためモータ４２が動作する。端子Ｔ４の電圧Ｖ３は、抵抗４５の抵抗値（１Ω）および抵抗４５に流れる電流により定まる。この電圧Ｖ３が下限値（０．０３Ｖ）および上限値（０．３Ｖ）の間にある場合にモータ４２が動作する。
【００４４】
抵抗Ｒ１，Ｒ２は、端子Ｔ４の電圧Ｖ３の下限値を生成するための分圧回路である。抵抗Ｒ１，Ｒ２は電源ラインＰＬと接地ノードとの間に直列に接続される。電源ラインＰＬの電圧は、３．３Ｖであり、抵抗Ｒ１，Ｒ２の抵抗値はそれぞれ１０ｋΩおよび０．１ｋΩである。これにより抵抗Ｒ１，Ｒ２の接続点に生じる電圧Ｖ１の電圧値は約０．０３Ｖとなる。
【００４５】
抵抗Ｒ３，Ｒ４は、端子Ｔ４の電圧の上限値を生成するための分圧回路である。抵抗Ｒ３，Ｒ４は電源ラインＰＬと接地ノードとの間に直列に接続される。抵抗Ｒ３，Ｒ４の抵抗値はそれぞれ１０（ｋΩ）および１（ｋΩ）である。これにより抵抗Ｒ３，Ｒ４の接続点において生じる電圧Ｖ２の電圧値が０．３Ｖとなる。
【００４６】
抵抗Ｒ６の一方端は端子Ｔ４に接続される。キャパシタＣ２は抵抗Ｒ６の他方端および接地ノードの間に接続される。
【００４７】
比較回路５１は、端子Ｔ４の電圧である電圧Ｖ３と、電圧Ｖ１とを比較する。比較回路５１の非反転入力端子（「＋」と示される端子）は抵抗Ｒ６の他方端に接続されることにより電圧Ｖ３を受ける。比較回路５１の反転入力端子（「−」と示される端子）は、抵抗Ｒ１，Ｒ２の接続点に接続されることにより電圧Ｖ１を受ける。比較回路５１の出力端子は信号ラインＳＧＬに接続される。
【００４８】
比較回路５１は、電圧Ｖ３が電圧Ｖ１よりも大きい場合にはその電圧レベルがＨレベルである信号ＤＥＴを信号ラインＳＧＬに出力する。一方、比較回路５１は、電圧Ｖ３が電圧Ｖ１よりも小さい場合にはその電圧レベルがＬレベルである信号ＤＥＴを信号ラインＳＧＬに出力する。
【００４９】
比較回路５２は、電圧Ｖ３と電圧Ｖ２とを比較する。比較回路５２の非反転入力端子は、抵抗Ｒ３，Ｒ４の接続点に接続されることにより電圧Ｖ２を受ける。比較回路５２の反転入力端子は抵抗Ｒ６の他方端に接続されることにより電圧Ｖ３を受ける。比較回路５２の出力端子は信号ラインＳＧＬに接続される。
【００５０】
比較回路５２は、電圧Ｖ３が電圧Ｖ２よりも小さい場合にはその電圧レベルがＨレベルである信号ＤＥＴを信号ラインＳＧＬに出力する。一方、比較回路５２は、電圧Ｖ３が電圧Ｖ２よりも大きい場合にはその電圧レベルがＬレベルである信号ＤＥＴを信号ラインＳＧＬに出力する。
【００５１】
ＣＰＵ１３は、信号ラインＳＧＬを介して比較回路５１（または５２）から出力される信号ＤＥＴを受ける。本実施の形態では比較回路５１からの信号が伝送される経路と比較回路５２からの信号が伝送される経路とが共通化される。これによりＣＰＵ１３の端子（ピン）の数を増やさなくてもよくなる。これによりＣＰＵ１３のピンに接続される配線の配置が複雑になるのを防ぐことができるとともに回路面積の縮小化を図ることができる。
【００５２】
抵抗Ｒ５およびキャパシタＣ１は、電源ラインＰＬおよび接地ノードの間に直列に接続される。抵抗Ｒ５およびキャパシタＣ１の接続点には信号ラインＳＧＬが接続される。比較回路５１（または５２）からのＨレベルの信号ＤＥＴが出力される場合、信号ＤＥＴの電圧は電源ラインＰＬの電圧とほぼ等しくなる。これにより、ＣＰＵ１３が信号ＤＥＴのレベルをより確実に判定することが可能になる。なお、比較回路５１，５２の各々の電源端子は電源ラインＰＬに接続される。
【００５３】
図３〜図５は、図２に示す異常検出部５０の動作を説明するための図である。
図３は、電圧Ｖ３が電圧Ｖ１と電圧Ｖ２との間にある状態を示す図である。
【００５４】
図４は、電圧Ｖ３が電圧Ｖ１よりも低い電圧に低下した状態を示す図である。
図５は、電圧Ｖ３が電圧Ｖ２よりも高い電圧に上昇した状態を示す図である。
【００５５】
図３〜図５を参照して、電圧Ｖ３が０．１Ｖである場合には、電圧Ｖ３は電圧Ｖ１（０．０３Ｖ）より高く、かつ、電圧Ｖ２（０．３Ｖ）よりも低い。この場合、信号ＤＥＴの電圧値は電源ラインＰＬの電圧（３．３Ｖ）と等しくなるので、予め定められたしきい値Ｖｔｈ（たとえば３．３／２＝１．６５Ｖ）より大きくなる。すなわち信号ＤＥＴの電圧レベルがＨレベルとなる。
【００５６】
一方、電圧Ｖ３が電圧Ｖ１よりも低い場合（たとえば電圧Ｖ３の値が０の場合）、および電圧Ｖ３が電圧Ｖ２よりも高い場合（電圧Ｖ３が１２Ｖの場合）には信号ＤＥＴの電圧値は、しきい値Ｖｔｈより低い値（たとえば０）となる。すなわち信号ＤＥＴの電圧レベルはＬレベルである。
【００５７】
図６は、図１のＣＰＵ１３による異常検出処理を示すフローチャートである。図６および図１を参照して、プロジェクタ１００への電源投入により本処理が開始される。まずＣＰＵ１３は信号ＤＥＴの電圧レベルがＨレベルか否かを判定する（ステップＳ１）。ＣＰＵ１３は、信号ＤＥＴの電圧レベルがＨレベルであると判定すると（ステップＳ１においてＹＥＳ）、点灯回路６１に対してＬＥＤ６２を点灯させるよう指示する。点灯回路６１はＣＰＵ１３の指示に応じてＬＥＤ６２を点灯させる（ステップＳ２）。ＬＥＤ６２が点灯すると、全体の処理はステップＳ１に戻される。
【００５８】
一方、ＣＰＵ１３は信号ＤＥＴの電圧レベルがＨレベルでない（すなわちＬレベルである）と判定すると（ステップＳ１においてＮＯ）、ＬＥＤ６２を点灯させない。この場合にも全体の処理はステップＳ１に戻される。
【００５９】
以上のように、本実施の形態によれば、コネクタの異常（ファン４０からコネクタ４４が外れた場合、抵抗を介して接地された端子と電源端子との短絡により抵抗が損傷した場合等）を検出できるので、ファンの動作異常を検出できる。さらに、本実施の形態によれば、ファン自体の異常も検出することができる。
【００６０】
なお、本実施形態のプロジェクタでは、光を空間的に変調する素子としてＤＭＤを用いたが、これに限定するものではなく、液晶パネルであってもよい。
【００６１】
また、電子機器の中には、プロジェクタ以外にも、２つの端子の間に所定範囲内の電圧が印加された場合に動作するファンを搭載するものがある。このような電子機器として、たとえばパーソナルコンピュータやＤＶＤレコーダ等を挙げることができる。その２つの端子に接続されるコネクタが、ファンの２つの端子の一方に電源電圧を供給するための端子と、ファンの２つの端子の他方に接続されるとともに抵抗を介して接地される端子とを備えていれば本発明が適用可能である。
【００６２】
さらに、コネクタに接続される装置はファンに限定されるものではなく、２つの端子の間に所定範囲内の電圧が印加された場合に動作する負荷回路であればよい。このような負荷回路としては、たとえばＬＥＤを挙げることができる。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６４】
【図１】本実施形態に係る電子機器の一例であるプロジェクタの構成を表わす図である。
【図２】異常検出部５０の構成を示す回路図である。
【図３】電圧Ｖ３が電圧Ｖ１と電圧Ｖ２との間にある状態を示す図である。
【図４】電圧Ｖ３が電圧Ｖ１よりも低い電圧に低下した状態を示す図である。
【図５】電圧Ｖ３が電圧Ｖ２よりも高い電圧に上昇した状態を示す図である。
【図６】図１のＣＰＵ１３による異常検出処理を示すフローチャートである。
【符号の説明】
【００６５】
１０  メインボード、１１  Ａ／Ｄ変換部、１２  画像処理部、１３  ＣＰＵ、１４  メモリ、２０  光源、３０  投光ユニット、３１  ＤＭＤ、３２  投射レンズ、４０  ファン、４１  フィン、４２  モータ、４３  コネクタ、４４  コネクタ、４５  抵抗、４６  電源回路、５０  異常検出部、５１，５２  比較回路、６０  表示部、６１  点灯回路、６２  ＬＥＤ、７０  操作部、１００  プロジェクタ、Ｃ１，Ｃ２  キャパシタ、ＰＬ  電源ライン、Ｒ１〜Ｒ６  抵抗、ＳＧＬ  信号ライン、Ｔ１〜Ｔ４  端子。
【図１】
2008304393.tif 000003
【図２】
2008304393.tif 000004
【図３】
2008304393.tif 000005
【図４】
2008304393.tif 000006
【図５】
2008304393.tif 000007
【図６】
2008304393.tif 000008